(57)【要約】【課題】カーテン片を快速に取り外し、結合ができ、使用者は、カーテン片の洗浄、交換が容易に行え、懸架素子が損傷しても、そこだけを交換すればよいカーテン片の懸架構造を提供する。【解決手段】本考案のカーテン片の懸架構造は、主に、カーテンの上トラックにレールを設置し、懸架素子は、レールに連接され、懸架素子の底端は、スロットを有し、カーテンの頂端を穿置の方式で、直接、懸架素子のスロット中に結合しカーテン片は、上トラックに懸架される。【選択図】図１
0003115229.tif 000002
【実用新案登録請求の範囲】
【請求項１】
カーテンの懸架構造であって、主に、カーテンは、上トラックにレールを設置し、前記懸架素子は、レールに連接され、前記懸架素子は、スロットを有し、カーテンの頂端を穿置することを特徴とするカーテンの懸架構造。
【請求項２】
前記レールは、複数の並列な懸架素子を有し、複数層のカーテン片は、それぞれ、前記上トラックに懸架結合されることを特徴とする請求項１に記載のカーテンの懸架構造。
【請求項３】
前記レールは、上トラック、及び、下トラックが、枢軸棒を容置して、前記懸架素子を穿置した後、結合する構造で、前記懸架素子は、相対するレールを有し、擺動することを特徴とする請求項１、或いは、２に記載のカーテンの懸架構造。
【請求項４】
前記カーテン片は、中空部を有し、前記上トラックに対応して接続される設計で、前記懸架素子のスロット上段は、前記中空部よりも大きい弧型体を有し、前記弧型体は、前記中空部上方に跨置されて、下に延伸し、前記懸架素子は、前記レールにより、擺動、旋動することを特徴とする請求項１、或いは、２に記載のカーテンの懸架構造。
【請求項５】
前記レールと前記懸架素子は、一体成形であることを特徴とする請求項１、或いは、２に記載のカーテンの懸架構造。
【請求項６】
前記レールが相対する前記上トラックの接合箇所に、凸点を有することを特徴とする請求項１、或いは、２に記載のカーテンの懸架構造。
【請求項７】
前記懸架素子の開口は、下向けであることを特徴とする請求項１、或いは、２に記載のカーテンの懸架構造。
【請求項８】
前記懸架素子の開口は、側向けであることを特徴とする請求項１、或いは、２に記載のカーテンの懸架構造。
【請求項９】
前記カーテン片の頂端は、穿接部を設け、棒を穿置した後、スロットに結合することを特徴とする請求項１、或いは、２に記載のカーテンの懸架構造。
【考案の詳細な説明】
【技術分野】
【０００１】
本考案は、カーテン片の懸架構造に関するものであって、主に、カーテンの上トラックにレールを設置し、懸架素子は、レールに連接され、懸架素子の底端は、スロットを有する設計で、カーテンの頂端を穿置の方式で、直接、懸架素子のスロット中に結合し（カーテン片頂端は、棒により、結合の安定性を増す）、カーテン片は、上トラックと連結、取り外しが快速に行え、交換や洗浄が容易なカーテン片の懸架構造に関するものである。
【背景技術】
【０００２】
カーテンは、遮光効果を提供するが、塵やホコリが付着するので汚れやすく、殺菌が生じるので、カーテン片は洗浄や取替えが非常に重要である。
【０００３】
しかし、公知のカーテンのカーテン片は、カーテン片の頂端を、直接、上トラックに係止する構造であるので、カーテン片は、取り外して交換することが容易でない。よって、上トラックとカーテン片を、マジックテープ（登録商標）により結合する構造を開発し、使用者は、マジックテープ（登録商標）により、カーテン片と上トラックを分離した後、洗浄、交換を達成している。
【０００４】
しかし、この方法では、上トラックに付着したマジックテープ（登録商標）は、使用中に取れやすいという問題があり、カーテン片の外観上、翻折したり、平坦でないなどの現象が生じ、また、マジックテープ（登録商標）は洗浄後、ダメージを受けて、洗浄後の結合力が低下するという欠点がある。
【考案の開示】
【考案が解決しようとする課題】
【０００５】
本考案は、カーテン片の懸架構造に関するものであって、主に、カーテンの上トラックにレールを設置し、懸架素子は、レールに連接され、懸架素子の底端は、スロットを有する設計で、上述の問題を改善することを目的とする。
【課題を解決するための手段】
【０００６】
本考案のカーテン片の懸架構造は、カーテンの頂端を穿置の方式で、直接、懸架素子のスロット中に結合し（カーテン片頂端は、棒により、結合の安定性を増す）、カーテン片は、上トラックと連結、取り外しが快速に行え、交換や洗浄が容易である。
【考案の効果】
【０００７】
懸架素子は、トラック中に連結され、且つ、レールは、直接、上トラックに対応し、カーテン片の大きさ、重量、幅により、上トラック中に複数のレールを設置し、懸架素子底端のスロットにより、カーテン片の頂端を穿置して結合し、カーテン片は、安定して、上トラック下方に固定され、カーテン使用時の安全性を向上させる。
【０００８】
懸架素子は、カーテン片を快速に取り外し、結合ができ、使用者は、カーテン片の洗浄、交換が容易に行え、懸架素子が損傷しても、そこだけを交換すればよいので、便利である。
【考案を実施するための最良の形態】
【０００９】
本考案のカーテン片の懸架構造は、主に、カーテン１０は、上トラック１にレール２を設置し（図１、及び、図２で示される）、懸架素子３は、レール２と連結し、懸架素子３は、スロット３１を有する。
【００１０】
カーテン片１０１の頂端を、懸架素子３のスロット３１に穿置し（カーテン片１０１の頂端は、穿接部１０２を設け、棒１０３を穿置した後、スロット３１に結合する）、カーテン片１０１は、懸架素子３、レール２により、上トラック１に懸架結合され、快速な結合と取り外しの功能を有し、カーテン片１０１の交換、洗浄が容易である。
【００１１】
レール２と懸架素子３は、一体成形で（図３で示される）、これにより、コストを抑制する。
【００１２】
また、懸架素子３のスロット３１開口は、異なるカーテン片１０１の装置上の需要により、下向き、或いは、側向きの設計である。
【００１３】
また、同一のレール２に、複数の並列な懸架素子３を有し、複数層のカーテン片１０１は、それぞれ、上トラック１に懸架結合される。
【００１４】
また、本考案の懸架素子３は、レール２と枢接結合して、可動状態をなしてもよく、懸架素子３は、相対するレール２を有して擺動、旋動する設計で、使用者が、カーテン片１０１頂端を複数のスロット３１に結合する時、照準、結合が容易である（実際の使用中、カーテン片１０１の穿接部１０２中の棒１０３は、若干、偏斜するが、懸架素子３の可動設計は、棒１０３の偏斜角度に対応して、直接、穿置能力を提供するか、或いは、複数層のカーテン片１０１が、それぞれ、懸架素子３を穿置する時、懸架素子３の可動設計が、使用者の手部操作に影響するのを防止する）。その構造設計は、レール２が、上トラック２１、及び、下トラック２２が、枢軸棒２３を容置して、懸架素子３を穿置した後、結合する構造で（図４、及び、図５で示される）、懸架素子３は、相対するレール２を有し、擺動する。
【００１５】
更に、レール２は、中空部２４を有し、上トラック１に対応して接続される設計で（図６、及び、図７で示される）、懸架素子３のスロット３１上段は、中空部２４よりも大きい弧型体３２を有し、弧型体３２は、中空部２４上方に跨置されて、下に延伸し（図８、及び、図９で示される）、懸架素子３は、レール２により、擺動、旋動する。
【００１６】
又、レール２が上トラック１に置かれた後、使用状況に応じて位置を調整することが出来、レール２の相対する上トラック１の接続箇所は、凸点２５を有し（図１０で示される）、摩擦抵抗を低下させる。
【００１７】
本考案は、上トラック１とカーテン片１０１間は、レール２、懸架素子３の設置により、好ましい安定結合力を達成し、カーテン片１０１は、容易に、懸架素子３と取り外し、結合ができる特性を有し（図１１、及び、図１２で示される）、使用者は、カーテン片１０１の洗浄、交換が簡単に行える。
【００１８】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１９】
【図１】本考案の外観図である。
【図２】本考案の構造図である。
【図３】本考案のトラックと懸架素子の一体成形の構造図である。
【図４】本考案のトラックと懸架素子の可動式結合の構造図である。
【図５】本考案のトラックと懸架素子の可動式の組成図である。
【図６】本考案のトラックと懸架素子のもう一つの構造図である。
【図７】本考案のトラックと懸架素子の可動式結合の構造図である。
【図８】本考案の懸架素子と弧形体の分離構造の参考図である。
【図９】本考案の懸架素子と弧形体のもう一つの構造の参考図である。
【図１０】本考案のトラックと懸架素子のもう一つの構造図である。
【図１１】本考案の実施例による参考図である。
【図１２】本考案の実施例によるもう一つの参考図である。
【符号の説明】
【００２０】
１…上トラック
２…レール
２１…上トラック片
２２…下トラック片
２３…枢軸棒
２４…中空部
２５…凸点
３…懸架素子
３１…スロット
３２…弧形体
１０…カーテン
１０１…カーテン片
１０２…穿接部
１０３…棒
【図１】
0003115229.tif 000003
【図２】
0003115229.tif 000004
【図３】
0003115229.tif 000005
【図４】
0003115229.tif 000006
【図５】
0003115229.tif 000007
【図６】
0003115229.tif 000008
【図７】
0003115229.tif 000009
【図８】
0003115229.tif 000010
【図９】
0003115229.tif 000011
【図１０】
0003115229.tif 000012
【図１１】
0003115229.tif 000013
【図１２】
0003115229.tif 000014
【手続補正書】
【提出日】平成17年8月12日(2005.8.12)
【手続補正１】
【補正対象書類名】実用新案登録請求の範囲
【補正対象項目名】請求項１
【補正方法】変更
【補正の内容】
【請求項１】
カーテンの懸架構造であって、カーテンは、上トラックにレールを設置し、懸架素子は、レールに連接され、前記懸架素子は、スロットを有し、カーテンの頂端を穿置することを特徴とするカーテンの懸架構造。